(57)【要約】      （修正有）【課題】関連する画像を複数表示する場合の手間を簡略化する表示装置を提供する。【解決手段】制御部２０は、コネクター３１に挿入された記憶媒体から、プレゼンテーション用の２つのファイルを取得する。再生部３２は、制御部２０によって取得された２つのファイルの画像信号を生成する。画像投写部１０は、再生部３２によって生成された、一方のファイルの画像信号に基づいて画像をスクリーンＳＣに投写する。画像出力端子３３は、再生部３２によって生成された、他方のファイルの画像信号を別のプロジェクターに出力する。【選択図】図２
2015179976.tif 000002
【特許請求の範囲】
【請求項１】
第１のデータと前記第１のデータに関連する第２のデータとを取得する取得部と、
前記第１のデータから第１の画像信号を生成し、前記第２のデータから第２の画像信号を生成する生成部と、
前記第１の画像信号に基づいて画像を表示する表示部と、
前記第２の画像信号を出力する出力部と、
を有することを特徴とする表示装置。
【請求項２】
請求項１に記載の表示装置であって、
前記取得部は、可搬型の記憶媒体から前記第１のデータと前記第２のデータとを取得することを特徴とする表示装置。
【請求項３】
請求項１に記載の表示装置であって、
前記取得部は、ネットワークから前記第１のデータと前記第２のデータとを取得することを特徴とする表示装置。
【請求項４】
請求項１〜３のいずれか一項に記載の表示装置であって、
前記生成部は、前記第２データから前記第２の画像信号を生成するにあたって、前記表示部が現在表示している画像に関連する前記第２の画像信号を生成し、
前記出力部は、前記表示部に表示されている画像に関連して生成された前記第２の画像信号を出力することを特徴とする表示装置。
【請求項５】
請求項１〜４のいずれか一項に記載の表示装置であって、
前記出力部が前記第２の画像信号を出力する先は、別の表示装置であることを特徴とする表示装置。
【請求項６】
請求項１〜５のいずれか一項に記載の表示装置であって、
前記取得部は、指示情報を取得し、取得した前記指示情報に基づいて、前記第１のデータと前記第２のデータとを取得し、
前記指示情報は、前記第１の画像データに基づく前記第１の画像信号を前記表示部に出力し、前記第２の画像データに基づく前記第２の画像信号を前記出力部に出力するよう指示する情報であることを特徴とする表示装置。
【請求項７】
請求項１〜６のいずれか一項に記載の表示装置であって、
前記表示部は、光源と、光変調部と、投写レンズとを有することを特徴とする表示装置。
【請求項８】
請求項１〜７のいずれか一項に記載の表示装置であって、
前記出力部は、ＵＳＢ（Universal Serial Bus）端子であることを特徴とする表示装置。
【発明の詳細な説明】
【技術分野】
【０００１】
本発明は、表示装置に関する。
【背景技術】
【０００２】
特許文献１には、プレゼンテーションの内容を出席者に対して表示する複数の主表示装置と、該複数の主表示装置に関連して設けられそれぞれ出席者が操作可能な入力装置と、該入力装置から入力された情報に基づいて前記複数の主表示装置に異なった内容を表示する表示制御手段とを設けたことを特徴とするプレゼンテーション装置が開示されている。
【先行技術文献】
【特許文献】
【０００３】
【特許文献１】特開平４−１０４１９５号公報
【発明の概要】
【発明が解決しようとする課題】
【０００４】
ところで、プロジェクター等の複数の表示装置のそれぞれにおいて、関連する画像を表示させたい場合がある。例えば、プレゼンテーションにおいて、あるプロジェクターからは日本語の原稿を表示させ、別のプロジェクターからはその日本語に対応する英語の原稿を表示させたい場合がある。
【０００５】
しかし、関連する画像を複数の表示装置に表示する場合、複数の表示装置のそれぞれにおいて設定等を行わなければならず、操作に手間がかかるという問題がある。
【０００６】
例えば、あるプロジェクターには、日本語の原稿の画像データを読み込ませて表示するように設定し、別のプロジェクターには、英語の原稿の画像データを読み込ませて表示するように設定しなければならず、操作に手間がかかる。
【０００７】
そこで本発明は、関連する画像を複数の表示装置に容易に表示することを目的とする。
【課題を解決するための手段】
【０００８】
上記の課題を解決するための本発明の第一の態様は、第１のデータと前記第１のデータに関連する第２のデータとを取得する取得部と、前記第１のデータから第１の画像信号を生成し、前記第２のデータから第２の画像信号を生成する生成部と、前記第１の画像信号に基づいて画像を表示する表示部と、前記第２の画像信号を出力する出力部と、を有することを特徴とする画像処理装置である。第一の態様によれば、第１のデータの画像は、表示部によって表示され、第２のデータの画像信号は出力されるので、ユーザーは、容易に第１のデータおよび第２のデータの画像を同時に表示することができる。
【０００９】
前記取得部は、可搬型の記憶媒体から前記第１のデータと前記第２のデータとを取得することを特徴としてもよい。これにより、ユーザーは、記憶媒体から第１のデータおよび第２のデータの画像を容易に表示することができる。
【００１０】
前記取得部は、ネットワークから前記第１のデータと前記第２のデータとを取得することを特徴としてもよい。これにより、ユーザーは、ネットワークから第１のデータおよび第２のデータの画像を容易に表示することができる。
【００１１】
前記生成部は、前記第２データから前記第２の画像信号を生成するにあたって、前記表示部が現在表示している画像に関連する前記第２の画像信号を生成し、前記出力部は、前記表示部に表示されている画像に関連して生成された前記第２の画像信号を出力することを特徴としてもよい。これにより、第１のデータおよび第２のデータの関連した内容をそれぞれ表示することができる。
【００１２】
前記出力部が前記第２の画像信号を出力する先は、別の表示装置であることを特徴としてもよい。これにより、ユーザーは、第１のデータおよび第２のデータを異なる表示装置で容易に表示することができる。
【００１３】
前記取得部は、指示情報を取得し、取得した前記指示情報に基づいて、前記第１のデータと前記第２のデータとを取得し、前記指示情報は、前記第１の画像データに基づく前記第１の画像信号を前記表示部に出力し、前記第２の画像データに基づく前記第２の画像信号を前記出力部に出力するよう指示する情報であることを特徴としてもよい。これにより、ユーザーは、表示装置に対し、第１のデータおよび第２のデータのどちらの画像信号を表示しまた出力するかの操作をしなくて済む。
【００１４】
前記表示部は、光源と、光変調部と、投写レンズとを有することを特徴としてもよい。これにより、第１のデータの画像信号をスクリーンに投写することができる。
【００１５】
前記出力部は、ＵＳＢ（Universal Serial Bus）端子であることを特徴としてもよい。これにより、第２の画像データを第２の画像信号をＵＳＢディスプレイに出力することができる。
【図面の簡単な説明】
【００１６】
【図１】本発明の一実施形態に係るプロジェクターの適用例を示した図である。
【図２】プロジェクターの概略構成の一例を示した図である。
【図３】指示情報ファイルの例を示した図である。
【図４】プロジェクターの動作例を示したフローチャートである。
【図５】指示情報ファイルの別の例を示した図である。
【発明を実施するための形態】
【００１７】
以下、本発明に係る表示装置をプロジェクターに適用した場合の例について図面を参照して説明する。
【００１８】
図１は、本発明の一実施形態に係るプロジェクターの適用例を示した図である。図１には、プロジェクター１，２と、記憶媒体３とが示してある。また、図１には、プロジェクター１によってスクリーンに投写された画像４と、プロジェクター２によってスクリーンに投写された画像５とが示してある。
【００１９】
記憶媒体３は、可搬型の記憶媒体であり、プロジェクター１，２に対して、挿抜可能な記憶媒体である。記憶媒体３は、例えば、ＵＳＢ（Universal Serial Bus）メモリーなどのメモリカードである。図１では、記憶媒体３は、プロジェクター１にのみ挿入されている。
【００２０】
記憶媒体３には、例えば、プレゼンテーション用の２つのファイルと、指示情報ファイルとが記憶されている。２つのファイルは、例えば、パワーポイント（登録商標）で作成されたプレゼンテーションファイルや文書ファイル、ＪＰＥＧ（Joint Photographic Experts Group）等の画像ファイルである。指示情報ファイルについては、後述する。
【００２１】
記憶媒体３に記憶された、プレゼンテーション用の２つのファイルは、関連したファイルである。例えば、１つのファイルは、日本語で作成され、もう１つのファイルは、その日本語に対応した英語で作成されている。
【００２２】
プロジェクター１は、記憶媒体３が挿入されると、記憶媒体３に記憶されている、プレゼンテーション用の２つのファイルと指示情報ファイルとを取得し、取得したプレゼンテーション用の２つのファイルの画像信号を生成する。プロジェクター１は、生成した一方の画像信号に基づいて、スクリーンに画像を投写する。例えば、プロジェクター１は、日本語で作成されたファイルの画像４をスクリーンに投写する。
【００２３】
また、プロジェクター１は、生成したもう一方の画像信号をプロジェクター２に出力する。プロジェクター２は、プロジェクター１から出力された画像信号を受信し、受信した画像信号に基づいて、スクリーンに画像を投写する。例えば、プロジェクター２は、英語で作成されたファイルの画像５をスクリーンに投写する。
【００２４】
このように、プロジェクター１，２は、記憶媒体３に記憶された、関連したファイル（例えば、日本語のファイルと、日本語に対応した英語のファイル）の画像をスクリーンに投写する。
【００２５】
図２は、プロジェクターの概略構成の一例を示した図である。図２には、プロジェクター１の概略構成を示している。なお、プロジェクター２は、従来のプロジェクターであってもよいし、図２と同様の概略構成を有していてもよい。すなわち、プロジェクター２は、外部から画像信号を入力する画像入力端子を備え、画像入力端子で受信した画像信号に基づく画像をスクリーンに投写するものであればよい。
【００２６】
図２に示すように、プロジェクター１は、画像投写部１０、制御部２０、記憶部２１、操作パネル２２、リモコン２３、操作信号受信部２４、画像入力端子群２５、入力端子選択部２６、画像信号処理部２７、ＯＳＤ（On Screen Display）処理部２８、光源駆動部３０、コネクター３１、再生部３２、および画像出力端子３３等を有する。画像投写部１０には、光源１１、光変調部としての３つの液晶ライトバルブ１２Ｒ，１２Ｇ，１２Ｂ、投写光学系としての投写レンズ１３、ライトバルブ駆動部１４等が含まれる。画像投写部１０は、例えば、本発明の表示部に対応する。
【００２７】
光源１１は、高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成される。光源１１から射出された光は、インテグレーター光学系（図示せず）によって輝度分布が略均一な光に変換され、色分離光学系（図示せず）によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素が形成されており、液晶に対して画素毎に駆動電圧を印加可能になっている。ライトバルブ駆動部１４が、入力される画像データに応じた駆動電圧を各画素に印加すると、各画素は、画像データに応じた光透過率に設定される。つまり、光源１１から射出された光は、この液晶ライトバルブ１２Ｒ，１２Ｇ，１２Ｂを透過することによって変調され、画像データに応じた画像光が色光毎に形成される。形成された各色の画像光は、色合成光学系（図示せず）によって画素毎に合成されてカラー画像を表す画像光となった後、投写レンズ１３によってスクリーンＳＣ等に拡大投写される。
【００２９】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を統括制御する。つまり、制御部２０は、記憶部２１とともにコンピューターとして機能する。
【００３０】
記憶部２１は、マスクＲＯＭ（Read Only Memory）や、フラッシュメモリー、ＦｅＲＡＭ（Ferroelectric RAM：強誘電体メモリー）等の不揮発性のメモリーにより構成される。記憶部２１には、プロジェクター１の動作を制御するための制御プログラムや各種データ等が記憶されている。
【００３１】
操作パネル２２およびリモコン２３は、プロジェクター１に対して各種指示を行うための複数の操作キーを備えている。操作パネル２２およびリモコン２３が備える操作キーとしては、電源のオン，オフを行うための「電源キー」、各種設定を行うためのメニュー画像を表示させる「メニューキー」、メニュー画像における項目の選択等に用いられる「カーソルキー」、選択された項目を確定させる「決定キー」、操作の取り消し等に用いられる「取消キー」、入力ソース（画像信号の供給元、本実施形態では入力端子や記憶媒体）を切り替えるための「入力ソース切替キー」、表示中のスライドページを切り替えるための「ページ送りキー」、「ページ戻しキー」等がある。ユーザーが操作パネル２２の各種操作キーを操作すると、操作パネル２２は、ユーザーの操作内容に応じた操作信号を制御部２０に出力する。また、ユーザーがリモコン２３の各種操作キーを操作すると、リモコン２３は、ユーザーの操作内容に応じた赤外線の操作信号を発し、操作信号受信部２４がこれを受信して制御部２０に伝達する。
【００３２】
画像入力端子群２５は、他のプロジェクター、ＰＣ（Personal Computer）等の情報機器、或いはビデオ再生装置等の映像機器等、外部の画像供給装置（図示せず）から、各種形式の画像信号を入力可能な複数の入力端子を備える。入力端子としては、例えば、情報機器等からの画像信号を入力可能なＰＣ系の入力端子、映像機器等からの画像信号を入力可能なビデオ系の入力端子等がある。
【００３３】
入力端子選択部２６は、入力選択部に相当するものであり、複数の入力端子のうち、制御部２０の指示に基づく１つの入力端子を選択し、この入力端子に入力される画像信号を画像信号処理部２７に出力する。
【００３４】
画像信号処理部２７は、入力端子選択部２６から入力された各種形式の画像信号、または再生部３２によって再生された画像信号を、液晶ライトバルブ１２Ｒ，１２Ｇ，１２Ｂの各画素の階調を表す画像データ、即ち各画素に印加する駆動電圧を規定するための画像データに変換する。さらに、制御部２０の指示に基づいて、変換した画像データに対して、明るさ、コントラスト、シャープネス、色合い等の調整や、ガンマ補正等の各種画質調整を施す。画像信号処理部２７で画質調整がなされた画像データは、ＯＳＤ処理部２８に出力される。
【００３５】
ＯＳＤ処理部２８は、制御部２０の指示に基づいて、メニュー画像やメッセージ画像等のＯＳＤ画像を、画像信号処理部２７から入力される画像データに基づく画像（入力画像）上に重畳する処理を行う。ＯＳＤ処理部２８は、ＯＳＤメモリー（図示せず）を備えており、ＯＳＤ画像を形成するための図形やフォント等を表すＯＳＤ画像データを記憶している。制御部２０が、ＯＳＤ画像の重畳を指示すると、ＯＳＤ処理部２８は、必要なＯＳＤ画像データをＯＳＤメモリーから読み出し、入力画像の所定の位置にＯＳＤ画像が重畳されるように、画像信号処理部２７から入力される画像データにこのＯＳＤ画像データを合成する。ＯＳＤ画像データが合成された画像データは、ライトバルブ駆動部１４に出力される。なお、制御部２０からＯＳＤ画像を重畳する旨の指示がない場合には、ＯＳＤ処理部２８は、画像信号処理部２７から出力される画像データを、そのままライトバルブ駆動部１４に出力する。
【００３６】
ライトバルブ駆動部１４が、入力される画像データに従って液晶ライトバルブ１２Ｒ，１２Ｇ，１２Ｂを駆動すると、液晶ライトバルブ１２Ｒ，１２Ｇ，１２Ｂは、画像データに応じた画像を形成し、この画像が投写レンズ１３からスクリーンＳＣ等に投写される。
【００３７】
光源駆動部３０は、制御部２０からの指示に従って、光源１１を点灯又は消灯させる。例えば光源ランプ１１ａが高圧放電灯の場合には、光源駆動部３０は、始動電圧を印加する点灯回路や、適正なランプ電流を供給する安定器などにより構成される。
【００３８】
コネクター３１は、記憶媒体３が挿抜されるコネクターである。コネクター３１は、例えば、ＵＳＢコネクターであり、ＵＳＢメモリーが挿抜される。制御部２０は、コネクター３１に記憶媒体３が挿入されたことを検出できるようになっている。
【００３９】
制御部２０は、コネクター３１に記憶媒体３が挿入されると、記憶媒体３に記憶されている、関連する２つのファイルと、後述する指示情報ファイルとを取得する。制御部２０は、取得した関連する２つのファイルのデータを再生部３２に出力し、後述する指示情報ファイルに基づいて、再生部３２によって再生された一方の画像信号を画像信号処理部２７へ出力し、他方の画像信号を画像出力端子３３へ出力する。なお、制御部２０は、例えば、本発明の取得部に対応する。また、関連する２つのファイルは、例えば、本発明の第１のデータおよび第２のデータに対応する。
【００４０】
再生部３２は、制御部２０によって取得された、記憶媒体３に記憶された２つのファイルのデータに基づいて、画像信号を生成する。再生部３２によって生成された２つのファイルの画像信号の１つは、制御部２０を介して画像信号処理部２７に出力され、もう１つの画像信号は、制御部２０を介して画像出力端子３３に出力される。なお、再生部３２は、ＣＰＵやＡＳＩＣ（Application Specific Integrated Circuit）などの半導体装置で実現することができる。また、再生部３２は、制御部２０によってその機能を実現してもよい。
【００４１】
再生部３２は、生成する画像信号の形式として、例えば、画像入力端子群２５に入力される画像信号の、いずれかの形式を適用する。これにより、例えば、プロジェクター２は、プロジェクター１から出力される画像信号を画像入力端子群から入力することができる。そして、プロジェクター２は、画像信号処理部、ＯＳＤ処理部、および画像投写部を介して、受信した画像信号の画像をスクリーンに投写することができる。なお、再生部３２は、例えば、本発明の生成部に対応する。
【００４２】
画像出力端子３３は、画像信号を他のプロジェクター２に出力するための端子である。画像出力端子３３は、例えば、ケーブルによって、他のプロジェクター２の画像入力端子群と接続され、画像出力端子３３から出力された画像信号は、他のプロジェクター２の画像入力端子群によって受信される。なお、画像出力端子３３は、例えば、本発明の出力部に対応する。
【００４３】
指示情報ファイルについて説明する。指示情報ファイルは、例えば、本発明の指示情報に対応する。
【００４４】
図３は、指示情報ファイルの例を示した図である。図３に示す指示情報ファイル４１は、プレゼンテーション用の２つのファイルのどちらの画像をプロジェクター１のスクリーンＳＣに投写し、他方のファイルの画像信号をプロジェクター２に出力するかを指定する情報を有している。
【００４５】
指示情報ファイル４１は、ユーザーによって作成される。例えば、指示情報ファイル４１は、テキストデータであり、ユーザーは、パーソナルコンピュータなどの情報処理装置を用いて、指示情報ファイル４１を作成する。
【００４６】
例えば、プロジェクター１のスクリーンＳＣに表示させたいファイル名と、他のプロジェクターに画像信号を出力させたいファイル名とを「−」で結ぶように記述する。その際、「−」の左側には、プロジェクター１のスクリーンＳＣに投写させたいファイル名を記述し、「−」の右側には、他のプロジェクター２に画像信号を出力させたいファイル名を記述する。図３の例の場合、日本語で作成されたファイル名「２０１４開発計画Ｊａｐａｎｅｓｅ．ｐｐｔ」は、プロジェクター１のスクリーンＳＣに投写され、英語で作成されたファイル名「２０１４開発計画Ｅｎｇｌｉｓｈ．ｐｐｔ」は、その画像信号がプロジェクター２に出力される。
【００４７】
なお、指示情報ファイル４１には、このファイルが指示情報ファイルであることを示す、予め決められた特定の拡張子を付与する。
【００４８】
また、指示情報ファイル４１とプレゼンテーション用の２つのファイルは、記憶媒体３の１つのフォルダーにまとめて記憶する。例えば、図３の例の場合、「２０１４開発計画Ｊａｐａｎｅｓｅ．ｐｐｔ」のファイルと、「２０１４開発計画Ｅｎｇｌｉｓｈ．ｐｐｔ」のファイルと、指示情報ファイル４１は、記憶媒体３のある１つのフォルダーにまとめて記憶する。
【００４９】
図４は、プロジェクターの動作例を示したフローチャートである。プロジェクター１は、例えば、コネクター３１にＵＳＢメモリー等の記憶媒体３が挿入されると、図４に示す処理を実行する。プロジェクター１、２は図１に示したように接続され、プロジェクター１の画像出力端子３３から出力された画像信号がプロジェクター２によって投写されるようになっているものとする。
【００５０】
以下では、プレゼンテーション用の２つのファイルのスライド番号（ページ番号）は、対応しているとする。従って、日本語で作成されたファイルのあるページのプレゼンテーション内容は、英語で作成されたファイルの同じページのプレゼンテーション内容と同じである。つまり、日本語で作成されたファイルおよび英語で作成されたファイルのスライドページを同期して進めたり戻したりすれば、２つのファイルのプレゼンテーション内容は、同じ内容を示す。
【００５１】
まず、制御部２０は、記憶媒体３に記憶されている２つのファイルと指示情報ファイルとを取得する（ステップＳ１）。例えば、制御部２０は、指示情報ファイルの拡張子に基づいて、指示情報ファイルを記憶しているフォルダーを探索し、探索したフォルダー内に一緒に記憶されている、プレゼンテーション用の２つのファイルと、指示情報ファイルとを取得する。制御部２０は、取得したプレゼンテーション用の２つのファイルを、再生部３２へ出力する。
【００５２】
次に、再生部３２は、ステップＳ１にて制御部２０から出力されたプレゼンテーション用の２つのファイルの画像信号を生成する（ステップＳ２）。再生部３２は、生成した２つのファイルの画像信号を制御部２０に出力する。
【００５３】
次に、制御部２０は、ステップＳ１にて取得した指示情報ファイルに基づいて、再生部３２によって再生された、プロジェクター１のスクリーンＳＣに投写する画像信号を、画像信号処理部２７へ出力する（ステップＳ３）。例えば、図３の例の場合、制御部２０は、再生部３２によって再生された「２０１４開発計画Ｊａｐａｎｅｓｅ．ｐｐｔ」ファイルの画像信号を、画像信号処理部２７へ出力する。なお、画像信号処理部２７に出力された画像信号は、ＯＳＤ処理部２８を介して画像投写部１０へ出力され、画像投写部１０によって、スクリーンＳＣに投写される。
【００５４】
次に、制御部２０は、ステップＳ１にて取得した指示情報ファイルに基づいて、再生部３２によって再生された、他のプロジェクター２に出力する画像信号を、画像出力端子３３へ出力する（ステップＳ４）。例えば、図３の例の場合、制御部２０は、再生部３２によって再生された「２０１４開発計画Ｅｎｇｌｉｓｈ．ｐｐｔ」ファイルの画像信号を、画像出力端子３３へ出力する。なお、画像出力端子３３へ出力された画像信号は、例えば、ケーブルを介して、他のプロジェクター２へ出力される。
【００５５】
次に、制御部２０は、ユーザーから、プロジェクター１の終了操作があったか否か判定する（ステップＳ５）。制御部２０は、ユーザーから、プロジェクター１の終了操作がなかった場合、ステップＳ２の処理へ移行する。制御部２０は、ユーザーから、プロジェクター１の終了操作があった場合、例えば、処理を終了し、プロジェクター１の電源をオフにする。
【００５６】
なお、上記のフローチャートにおいて、制御部２０は、ステップＳ１にて３つのファイルを取得した後、初めてステップＳ３，Ｓ４の処理を行うときは、例えば、プレゼンテーション用の２つのファイルの１ページ目のスライドの画像信号を、画像信号処理部２７および画像出力端子３３へ出力するようにする。これにより、記憶媒体３をプロジェクター１に挿入したとき、記憶媒体３に記憶されている、プレゼンテーション用の２つのファイルの１ページ目の画像が、プロジェクター１のスクリーンＳＣと、プロジェクター２のスクリーンにそれぞれ投写される。
【００５７】
また、ステップＳ２〜Ｓ５の処理中に、例えば、ユーザーが、リモコン２３を用いて、プロジェクター１に投写されているファイル画像のスライドページを変更するよう操作した場合、制御部２０は、ステップＳ３，Ｓ４の処理において、その変更操作に対応したスライドページの画像信号を、画像信号処理部２７および画像出力端子３３に出力するようにする。これにより、プロジェクター１のスクリーンＳＣには、ページ変更に応じた画像が投写されるとともに、画像出力端子３３からは、プロジェクター１のスクリーンＳＣに投写されている画像と同じページの画像信号が出力される。つまり、プロジェクター１のスクリーンＳＣと、プロジェクター２のスクリーンには、同じページの関連した内容の画像が投写される。
【００５８】
また、上記では、制御部２０は、ユーザーのリモコン２３の操作に応じてスライドページを変更するとしたが、自動でスライドページを変更してもよい。
【００５９】
このように、プロジェクター１は、記憶媒体３に記憶された、プレゼンテーション用の２つのファイルを取得し、取得した２つのファイルの画像信号を生成する。そして、プロジェクター１は、生成した１つの画像信号に基づいて画像をスクリーンに投写し、もう１つの画像信号を別のプロジェクター２に出力する。
【００６０】
これにより、ユーザーは、２つのファイルが記憶された記憶媒体３をプロジェクター１に挿入するだけで、関連する２つのファイルの画像を、２つのスクリーンに映し出すことができ、手間を簡略化することができる。
【００６１】
例えば、プロジェクター２は、プロジェクター１から出力される画像信号を受信するだけで、プロジェクター１で投写されている画像に関連する画像をスクリーンに投写できるので、ユーザーは、プロジェクター１とプロジェクター２とをケーブルによって接続するだけで、プロジェクター２を操作する必要がない。なお、プロジェクター１とプロジェクター２とは無線通信で接続されていてもよい。
【００６２】
また、記憶媒体３に指示情報ファイル４１を記憶させることにより、ユーザーは、プロジェクター１に対し、どのファイルの画像をスクリーンＳＣに投写し、どのファイルの画像信号をプロジェクター２に出力するか、プロジェクター１，２に対し操作しなくて済む。また、記憶媒体３をコネクター３１に挿入するだけ、自動再生することが可能となる。
【００６３】
また、制御部２０は、プロジェクター１のスクリーンＳＣに投写されている画像のスライドページが変更された場合、プロジェクター２へ出力する画像信号のスライドページも変更する。これにより、画像出力端子３３からは、プロジェクター１のスクリーンＳＣに投写されている画像に関連する画像信号が出力され、プロジェクター１，２のスクリーンには、同期した内容の画像が投写される。
【００６４】
なお、上記の実施形態では、制御部２０は、記憶媒体３から、プレゼンテーション用の２つのファイルと指示情報ファイルとを取得するとしたが、ネットワークからこれらの３つのファイルを受信するようにしてもよい。この場合、プロジェクター１には、例えば、イーサネット等のネットワークに接続するためのコネクターを設ければよい。これにより、制御部２０は、ネットワークから、プレゼンテーション用の２つのファイルと指示情報ファイルとを取得することができる。
【００６５】
また、上記の実施形態では、２つのプレゼンテーション用のファイルを、２つのプロジェクターで表示する場合について説明したが、３以上のプレゼンテーション用のファイルを、３以上のプロジェクターで表示することもできる。例えば、画像出力端子３３を複数設けてもよいし、３以上のプロジェクターをデイジーチェーン接続してもよい。また、指示情報ファイルにおいては、複数（３以上）のファイル名を「−」で結ぶ。制御部２０は、例えば、指示情報ファイルの「−」で結ばれたファイル名の最左のファイル画像を、プロジェクター１のスクリーンＳＣに投影し、「−」で結ばれた左から２番目以降のファイルの画像信号を、対応する複数の画像出力端子３３のそれぞれから出力するようにすればよい。
【００６６】
また、上記の実施形態では、本発明に係る表示装置を、光源１１から射出された光を変調して投写するプロジェクターに適用した場合の例について説明したが、透過型のスクリーンを一体的に備えたリアプロジェクター、或いは、液晶ディスプレイ、プラズマディスプレイ、ＳＥＤ（Surface-conduction Electron-emitter Display）、有機ＥＬ（Electro Luminescence）ディスプレイ等に適用することも可能である。なお、表示装置にプロジェクターを用いた場合には、他の表示装置に比べて、より大きなサイズで画像を表示することが容易になる。
【００６７】
また、画像出力端子３３には、例えば、ＵＳＢ端子を用いることができる。この場合、プロジェクター１は、ＵＳＢディスプレイに画像信号を出力することができる。
【００６８】
また、上記の実施形態では、制御部２０は、記憶媒体３に記憶されているプレゼンテーション用の２つのファイルと、指示情報ファイルとを読み込むとしたが、例えば、記憶媒体３の階層構造をスクリーンＳＣに表示し、プロジェクター１のスクリーンＳＣに投写するファイルと、プロジェクター２に画像信号を出力するファイルとを、リモコン２３を介して、ユーザーに選択させ、選択されたファイルを記憶媒体３から取得するようにしてもよい。この場合、指示情報ファイルは不要となる。
【００６９】
また、上記の実施形態では、関連するファイルが１組であったが（例えば、「２０１４開発計画Ｊａｐａｎｅｓｅ．ｐｐｔ」と「２０１４開発計画Ｅｎｇｌｉｓｈ．ｐｐｔ」との１組）、複数組存在してもよい。例えば、日本語で作成された画像ファイル「Ｉｍａｇｅ００１Ｊ．ｊｐｇ」と、その日本語に対応した英語で作成された画像ファイル「Ｉｍａｇｅ００１Ｅ．ｊｐｇ」との１組、日本語で作成された画像ファイル「Ｉｍａｇｅ００２Ｊ．ｊｐｇ」と、その日本語に対応した英語で作成された画像ファイル「Ｉｍａｇｅ００２Ｅ．ｊｐｇ」との１組、日本語で作成された画像ファイル「Ｉｍａｇｅ００２Ｊ．ｊｐｇ」と、その日本語に対応した英語で作成された画像ファイル「Ｉｍａｇｅ００２Ｅ．ｊｐｇ」との１組の３組が存在してもよい。
【００７０】
図５は、指示情報ファイルの別の例を示した図である。関連する２つのファイルが複数組存在する場合、指示情報ファイル４２には、１組の関連する２つのファイルのファイル名を改行しながら記載するようにする。
【００７１】
例えば、上記の３組の画像ファイルの例の場合、指示情報ファイ４２の１行目には、日本語で作成された画像ファイル「Ｉｍａｇｅ００１Ｊ．ｊｐｇ」と、その日本語に対応した英語で作成された画像ファイル「Ｉｍａｇｅ００１Ｅ．ｊｐｇ」とを「−」で結んで記載する。また、指示情報ファイ４２の２行目には、日本語で作成された画像ファイル「Ｉｍａｇｅ００２Ｊ．ｊｐｇ」と、その日本語に対応した英語で作成された画像ファイル「Ｉｍａｇｅ００２Ｅ．ｊｐｇ」とを「−」で結んで記載する。また、指示情報ファイ４２の３行目には、日本語で作成された画像ファイル「Ｉｍａｇｅ００３Ｊ．ｊｐｇ」と、その日本語に対応した英語で作成された画像ファイル「Ｉｍａｇｅ００３Ｅ．ｊｐｇ」とを「−」で結んで記載する。
【００７２】
プロジェクター１の動作は、上記で説明した動作と同様であるが、指示情報ファイル４２の各行の１組のファイルの画像を、ユーザーの操作に応じて上から順にスクリーンＳＣに投写し、投写された画像に関連する画像ファイルの画像信号を他のプロジェクター２に出力するところが異なる。
【００７３】
例えば、制御部２０は、リモコン２３を介して、ユーザーからスクリーンＳＣに投写する画像を変更するよう操作を受け付けると、指示情報ファイル４２の１行目から順に、「−」の左側のファイルの画像をスクリーンＳＣに投写し、右側のファイルの画像信号を他のプロジェクター２に出力する。制御部２０は、指示情報ファイル４２の最下行の左側のファイルの画像をスクリーンＳＣに投写し、右側のファイルの画像信号を他のプロジェクター２に出力しているときに、リモコン２３を介して、ユーザーからスクリーンＳＣに投写する画像を変更するよう操作を受け付けると、１行目に戻って、左側のファイルの画像をスクリーンＳＣに投写し、右側のファイルの画像信号を他のプロジェクター２に出力する。
【００７４】
なお、複数組の関連するファイルと指示情報ファイルは、記憶媒体３の１つのフォルダーにまとめて記憶するようにする。
【００７５】
また、上記の実施形態では、光変調部として、透過型の液晶ライトバルブ１２Ｒ，１２Ｇ，１２Ｂを用いているが、反射型の液晶ライトバルブ等、反射型の光変調部を用いることも可能である。また、入射した光の射出方向を、画素としてのマイクロミラー毎に制御することにより、光源から射出した光を変調する微小ミラーアレイデバイス等を用いることもできる。
【００７６】
また、上記の実施形態では、光源１１は、放電型の光源ランプ１１ａによって構成されているが、ＬＥＤ（Light Emitting Diode：発光ダイオード）光源、ＬＤ（Laser Diode：半導体レーザー）、ＳＬＤ（Super Luminescent Diode）、有機ＥＬ素子等の光源や、その他の光源を用いることもできる。
【００７７】
また、上記の実施形態では、指示情報ファイル４１には、このファイルが指示情報ファイルであることを示す、予め決められた特定の拡張子を付与するとしたが、ファイル名に特定の名称を付与するようにしてもよい。この場合、制御部２０は、指定情報ファイルのファイル名に基づいて、指定情報ファイルを記憶しているフォルダーを探索して、プレゼンテーション用の２つのファイルと、指示情報ファイルとを取得する。
【００７８】
また、上記したプロジェクター１の構成は、プロジェクター１の構成を理解容易にするために、主な処理内容に応じて分類したものである。構成要素の分類の仕方や名称によって、本願発明が制限されることはない。プロジェクター１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【００７９】
また、上記の実施形態では、出力部の出力先は別のプロジェクターとして説明したが、直接別のプロジェクターに出力することに限定されず、通信装置経由で他の表示装置に出力してもかまわない。この場合、離れた場所にある別の表示装置に第２のファイルを表示することができる。
【００８０】
また、上記で説明したフローチャートの処理単位は、プロジェクター１の処理を理解容易にするために、主な処理内容に応じて分割したものである。処理単位の分割の仕方や名称によって、本願発明が制限されることはない。プロジェクター１の処理は、処理内容に応じて、さらに多くの処理単位に分割することもできる。また、１つの処理単位がさらに多くの処理を含むように分割することもできる。さらに、上記のフローチャートの処理順序も、図示した例に限られるものではない。
【符号の説明】
【００８１】
１，２：プロジェクター、３：記憶媒体、４，５：画像、１０：画像投写部、１１：光源、１１ａ：光源ランプ、１１ｂ：リフレクター、１２Ｒ，１２Ｇ，１２Ｂ：液晶ライトバルブ、１３：投写レンズ、１４：ライトバルブ駆動部、ＳＣ：スクリーン、２０：制御部、２１：記憶部、２２：操作パネル、２３：リモコン、２４：操作信号受信部、２５：画像入力端子群、２６：入力端子選択部、２７：画像信号処理部、２８：ＯＳＤ処理部、３０：光源駆動部、３１：コネクター、３２：再生部、３３：画像出力端子、４１，４２：指示情報ファイル。
【図１】
2015179976.tif 000003
【図２】
2015179976.tif 000004
【図３】
2015179976.tif 000005
【図４】
2015179976.tif 000006
【図５】
2015179976.tif 000007